(57)【要約】【課題】試料の処理の歩留まりを向上させたプラズマ処理装置を提供する。【解決手段】プラズマ処理装置１は、真空容器１０４内に配置されプラズマが形成される処理室１１５と、処理室１１５の下部に配置される試料台１０６と、処理室１１５の上方に配置されマイクロ波の電界が透過する軸対称形状の窓部材１０３と、窓部材１０３の上方に配置され導波管（円形導波管１０９）を含む導波路と、窓部材１０３の上方に配置され導波管よりも径が大きい空洞部１０２と、真空容器１０４および導波管の外周に配置されソレノイドコイル１１２およびヨーク１１３（第１ヨーク）を含む磁界発生装置（電磁石１０１）と、空洞部１０２内に配置され軸対称形状の磁性体製のヨーク２０１（第２ヨーク）と、を備える。【選択図】図１
2019121514.tif 000002
【特許請求の範囲】
【請求項１】
真空容器内に配置されプラズマが形成される処理室と、
前記処理室の下部に配置され前記プラズマを用いた処理の対象となる試料が載置される試料台と、
前記処理室の上面部を構成し前記プラズマを形成するための電界が透過し前記処理室の中心軸に対し軸対称形状を持つ誘電体製の窓部材と、
前記窓部材の上方に前記中心軸に沿って配置され前記電界が伝播する導波管を含む導波路と、
前記窓部材の上方に前記中心軸に沿って配置され前記導波管の下端部と連通して接続され前記電界を伝播し前記導波管よりも径が大きい軸対称形状を持つ空洞部と、
前記真空容器の側壁における前記処理室を囲む部分、および前記導波管の外周を囲むように配置され、前記プラズマを形成するための磁界を発生するコイルと、前記コイルを囲むように配置され下端が少なくとも前記窓部材よりも下方の位置にある磁性体製の第１ヨークとを含む磁界発生装置と、
前記空洞部内に前記中心軸に沿って配置され軸対称形状を持つ磁性体製の第２ヨークと、
を備える、プラズマ処理装置。
【請求項２】
請求項１記載のプラズマ処理装置において、
前記第２ヨークの下端部の径は、前記導波管の径よりも大きく、前記窓部材、前記試料台、および前記試料の径よりも小さい、
プラズマ処理装置。
【請求項３】
請求項１記載のプラズマ処理装置において、
前記空洞部内には、前記第２ヨーク内の空洞と、前記第２ヨークの外周側にあるリング状空間とを有し、
前記電界は、前記空洞および前記リング状空間を伝播する、
プラズマ処理装置。
【請求項４】
請求項１記載のプラズマ処理装置において、
前記磁界発生装置は、
前記コイルとして、前記導波管の外周かつ前記空洞部の上面部の外側に配置されている第１コイルを含み、
前記第１ヨークは、前記第１コイルの内周側で前記導波管の外周を囲むように配置されている内周部を含み、
前記磁界は、前記中心軸の方向に対し概ね平行な方向に供給される成分を含む、
プラズマ処理装置。
【請求項５】
請求項１記載のプラズマ処理装置において、
前記磁界発生装置は、
前記コイルとして、前記導波管の外周かつ前記空洞部の上面部の外側に配置されている第１コイル、および前記真空容器の側壁の外周に配置されている第２コイルを含み、
前記第１ヨークは、前記第１コイルの内周側で前記導波管の外周を囲むように配置されている内周部、前記第１コイルの上面外側に配置されている上面部、および前記第２コイルの外周に配置されている外周部を含み、
前記磁界は、前記中心軸の方向に対し概ね平行な方向に供給される成分を含む、
プラズマ処理装置。
【請求項６】
請求項４記載のプラズマ処理装置において、
前記第２ヨークの径と前記第１ヨークの前記内周部の径とが同程度である、
プラズマ処理装置。
【請求項７】
請求項４記載のプラズマ処理装置において、
前記第１ヨークの前記内周部は、前記中心軸に対し軸対称形状を有し、下端面が、前記第１コイルの下面以下の位置にあって、前記空洞部の上面部の上面に対向するように配置されている、
プラズマ処理装置。
【請求項８】
請求項１記載のプラズマ処理装置において、
前記第２ヨーク内の空洞の下部で前記中心軸に沿って配置されている軸対称形状を持つ誘電体板を有する、
プラズマ処理装置。
【請求項９】
請求項１記載のプラズマ処理装置において、
前記窓部材は、前記第２ヨークの内径に対応する面以内にあって第１厚さを持つ凸状中央部と、前記凸状中央部の外周側にあって前記第１厚さよりも小さい第２厚さを持つ外周部と、を有する、
プラズマ処理装置。
【請求項１０】
請求項１記載のプラズマ処理装置において、
前記第２ヨークの下端部の下面と前記窓部材の上面との間に所定の第１距離の第１空間を有する、
プラズマ処理装置。
【請求項１１】
請求項１０記載のプラズマ処理装置において、
前記第２ヨーク内の空洞の下部で前記中心軸に沿って配置されている軸対称形状を持つ誘電体板を有し、
前記誘電体板は、前記第２ヨークの下端部に接続され、下面と前記窓部材の上面との間に所定の第２距離の第２空間を有する、
プラズマ処理装置。
【請求項１２】
請求項１記載のプラズマ処理装置において、
前記導波管は、一定の径の円形導波管と、前記円形導波管の下端部に連通して接続され下方向で径が増加して下端部が前記第２ヨークの上端部に接続されるテーパ形状導波管と、を有する、
プラズマ処理装置。
【請求項１３】
請求項１記載のプラズマ処理装置において、
前記第２ヨークは、側壁の少なくとも内周側の表面に導電性材料製の膜を有する、
プラズマ処理装置。
【請求項１４】
請求項１記載のプラズマ処理装置において、
前記第２ヨークの上端部の上面と前記空洞部の上面部の下面との間に所定の距離の空間を有する、
プラズマ処理装置。
【請求項１５】
請求項１記載のプラズマ処理装置において、
前記第２ヨークは、前記中心軸の方向で、径が異なる複数のヨーク部材を用いて多段のヨークとして構成されている、
プラズマ処理装置。
【発明の詳細な説明】
【技術分野】
【０００１】
本発明は、プラズマ処理装置の技術に関する。また、本発明は、真空容器内の処理室内に配置された半導体ウエハ等の基板状の試料を処理室内に形成したプラズマを用いて処理するプラズマ処理装置において、処理室内に導入した処理用ガスに対し処理室内に供給した電界および磁界を用いてプラズマを形成する技術に関する。
【背景技術】
【０００２】
半導体集積回路素子等の半導体デバイスの生産にプラズマ処理装置が用いられている。プラズマ処理装置は、真空容器内の処理室内に形成したプラズマを用いて、処理室内に配置した試料（被処理基板と記載する場合がある）を処理する。従来、半導体デバイスの性能向上およびコスト低減のため、回路構造の微細化が進展してきた。２次元的微細化によって、デバイスあたりの面積が低減し、１枚のウエハから製造できる素子数が増加して、デバイスあたりの製造コストが下がる。それと共に、デバイスの配線長の短縮等によって性能向上が達成されてきた。しかし、２次元的微細化によるコスト低減および性能向上と、この技術開発に要する費用とを考慮して、新しい回路用材料や３次元的回路構造等の適用が進んでいる。
【０００３】
半導体デバイスは、製造工程の途中で微小な異物や汚染物質が付着すると、回路動作に致命的な影響を及ぼす欠陥が生じやすい。そのため、その異物等を排除し温度や湿度を最適に制御したクリーンルーム内で製造されることが多い。デバイスの微細化に伴い、製造に必要なクリーンルームの清浄度は高くなり、クリーンルームの建設や維持運用に莫大な費用が必要となる。そのため、クリーンルーム空間を効率よく利用した生産が求められる。この観点から、半導体デバイスの製造装置は、小型化と低コスト化が厳しく求められている。
【０００４】
従来のプラズマ処理装置として、処理室内に処理用のガス（処理用ガスと記載する場合がある）を供給しつつ、電界と共に磁界を供給して、プラズマを形成するものが広く用いられている。特に、マイクロ波等の所定の周波数の高周波の電界と共に静磁界を供給して、ガスの原子または分子を励起し、電離または解離させてプラズマを形成するものが用いられている。静磁界の供給によってプラズマの損失を抑制できる他に、処理室内でのプラズマの強度または密度の分布の調節も可能となる利点があるためである。さらに、電界と静磁界との相互作用を用いることで、他の技術ではプラズマの発生が困難である低い圧力の条件でも、プラズマを形成可能にする効果がある。
【０００５】
マイクロ波帯の周波数の電界に対して電子のサイクロトロン運動の周期とマイクロ波の周波数とを一致させる静磁界を供給する場合、電子サイクロトロン共鳴（Electron Cyclotron Resonance：ＥＣＲと記載する）と呼ばれる現象が起きることが知られている。この現象を用いてプラズマを形成する場合、ＥＣＲが起きる領域で主にプラズマが発生することから、静磁界の分布の調節によってプラズマを発生させる領域の調節が可能となる。またその他に、ＥＣＲ現象によってプラズマ生成可能な条件が広く確保できる効果がある。
【０００６】
一般に、処理室内に形成されるプラズマを構成する粒子は、処理室内の壁面に接触するとエネルギーを消失する。そのため、処理室内の壁面付近ではプラズマの密度が低くなり、壁面から離れた処理室の中央部ではプラズマの密度が高くなる、いわゆる中高の分布（凸分布）となる傾向を有する。このような分布を持つプラズマを用いた試料の処理では、その処理の特性が、試料の面内の径方向（半径方向）において不均一となってしまう課題があった。処理の特性とは、例えば、処理の速度や、処理結果として得られる加工後の表面形状等である。径方向とは、処理室や試料の面内の中心軸から外周に向かう方向である。
【０００７】
上記プラズマ処理装置に係わる先行技術例として、特開平７−１４７１９９号公報（特許文献１）や特開平１０−１６３１７３号公報（特許文献２）が挙げられる。
【０００８】
特許文献１では、ＥＣＲプラズマ処理装置として、以下の旨が記載されている。その装置では、静磁場を形成する励磁コイルの外周囲を覆って配置されたヨークは、処理室の外周を囲んでリング状に配置された励磁コイルの側面の外周側のみでなく上面の上方および内周側を覆って配置され、その内周側を覆う部分の下端部がマイクロ波導入部の近傍まで延在した構成を有する。その装置では、真空容器内のプラズマ生成室内で形成されるＥＣＲ面の高さ方向の位置が、中央部で高くなる凸形状となることを抑制して、マイクロ波導入窓に対し平坦または凹形状にできる。ひいては、その装置では、プラズマの密度または強度の分布を平坦または均一にできる、等の旨が記載されている。
【０００９】
特許文献２では、半導体処理装置として、プラズマ密度分布を制御する旨や、以下の旨が記載されている。その装置では、真空容器の上部に配置されたリング状のマイクロ波導入窓の上方に配置されたリング状の電磁石と、電磁石の外周側の側面、上面、内周側の側面を覆って配置されたヨークとを備える。ヨークの内周、外周側の部分の下端同士の間でミラー磁場を形成して、その内部にプラズマを閉じ込めることで、リング状のプラズマを形成する、等の旨が記載されている。
【先行技術文献】
【特許文献】
【００１０】
【特許文献１】特開平７−１４７１９９号公報
【特許文献２】特開平１０−１６３１７３号公報
【発明の概要】
【発明が解決しようとする課題】
【００１１】
前述のように、処理室内で電界および磁界を用いてプラズマを形成するプラズマ処理装置では、処理室内の試料の面内の径方向でのプラズマの密度や強度の分布が、いわゆる中高の分布（凸分布）のように不均一となる傾向を有する。そのため、試料の処理の特性に関して径方向でのばらつきに影響する等の課題がある。そのような課題に対し、従来技術例のプラズマ処理装置では、室内に供給される静磁界の強度や向きの分布を調節することで、分布の不均一を抑制して特性のばらつきの低減を図るものが検討されている。しかし、従来技術例のプラズマ処理装置では、以下のような点について考慮が不十分であったため、いくつか課題が生じていた。
【００１２】
従来技術例のプラズマ処理装置では、電界や磁界の強度や方向、ひいてはこれらによってガスの原子や分子が励起され解離や電離した粒子の密度または強度の分布を、どのように調節するかについて、考慮されていなかった。そのため、従来技術例のプラズマ処理装置では、室内の径方向でのプラズマの密度や強度の分布の不均一に関する抑制や、それに応じた処理の特性のばらつきの低減等を、充分には実現できず、限界があった。これにより、試料の処理の歩留まりが損なわれる等の課題があった。
【００１３】
本発明の目的は、試料の処理の歩留まりを向上させたプラズマ処理装置を提供することである。
【課題を解決するための手段】
【００１４】
本発明のうち代表的な実施の形態は、プラズマ処理装置であって、以下に示す構成を有することを特徴とする。一実施の形態のプラズマ処理装置は、真空容器内に配置されプラズマが形成される処理室と、前記処理室の下部に配置され前記プラズマを用いた処理の対象となる試料が載置される試料台と、前記処理室の上面部を構成し前記プラズマを形成するための電界が透過し前記処理室の中心軸に対し軸対称形状を持つ誘電体製の窓部材と、前記窓部材の上方に前記中心軸に沿って配置され前記電界が伝播する導波管を含む導波路と、前記窓部材の上方に前記中心軸に沿って配置され前記導波管の下端部と連通して接続され前記電界を伝播し前記導波管よりも径が大きい軸対称形状を持つ空洞部と、前記真空容器の側壁における前記処理室を囲む部分、および前記導波管の外周を囲むように配置され、前記プラズマを形成するための磁界を発生するコイルと、前記コイルを囲むように配置され下端が少なくとも前記窓部材よりも下方の位置にある磁性体製の第１ヨークとを含む磁界発生装置と、前記空洞部内に前記中心軸に沿って配置され軸対称形状を持つ磁性体製の第２ヨークと、を備える。
【発明の効果】
【００１５】
本発明のうち代表的な実施の形態によれば、試料の処理の歩留まりを向上させたプラズマ処理装置を提供できる。本発明のうち代表的な実施の形態によれば、異なる処理の条件に対応して適切に試料の上面の上方でのプラズマの強度または密度の分布が調節されたプラズマを室内に形成することができる。これにより、試料の面内の径方向での処理の特性のばらつきを低減でき、好適な特性を実現できる。
【図面の簡単な説明】
【００１６】
【図１】本発明の一実施の形態のプラズマ処理装置の構成の概略を模式的に示す縦断面図である。
【図２】実施の形態の第１変形例のプラズマ処理装置の構成の概略を模式的に示す縦断面図である。
【図３】実施の形態の第２変形例のプラズマ処理装置の構成の概略を模式的に示す縦断面図である。
【発明を実施するための形態】
【００１７】
以下、本発明の実施の形態を図面に基づいて詳細に説明する。なお、実施の形態を説明するための全図において同一部には原則として同一符号を付し、その繰り返しの説明は省略する。
【００１８】
［課題等］
前提や課題等について補足説明する。前述のように、室内で電界および磁界を用いてプラズマを形成するプラズマ処理装置では、室内の面内の径方向でのプラズマの密度や強度の分布が、いわゆる中高の分布（凸分布）のように不均一となる傾向を有する。このような課題に対し、従来技術例のプラズマ処理装置では、室内に供給される静磁界の強度や向きの分布を調節することで、室内の分布の不均一の抑制を図るもの等が検討されている。
【００１９】
例えば、特許文献１の装置では、以下のような構成を有する。その装置では、プラズマ生成室と処理対象の試料が配置された試料室とが仕切り板によって仕切られている。その装置では、仕切り板の中央部に形成されたプラズマ引き出し窓からプラズマ生成室内に形成されたプラズマが、励磁コイルによって生成された磁界の向きに沿って引き出される。このため、この従来技術例では、プラズマ生成室内の中央部分でのＥＣＲ面の形状の分布のみを考慮して、プラズマが試料室内の試料の上面の処理の径方向についての分布を調節するものといえる。
【００２０】
しかし、特許文献１のように、真空容器内において試料が載置される試料台を含む処理室（試料室）の内側でプラズマが生成される構成の場合、以下のような特性を有する。すなわち、試料の上面での処理の特性を示すパラメータの分布は、ＥＣＲ面の形状のみに支配的な影響を受けるものになるとは限らず、電界や磁界の強度、あるいは電子やイオン、活性を有したラジカル等の粒子の分布にも影響を受けるものとなる。特許文献１のような構成では、試料の処理の特性に関する径方向でのばらつきの低減のために、以下のような点は考慮されていなかった。すなわち、上記電界または磁界、ひいてはこれらによりガスの原子や分子が励起されて解離や電離した粒子の密度または強度の分布を、どのように調節するかについて、考慮されていなかった。少なくとも、どのような装置構造とすればそれらの好適な調節が実現できるか、充分には考慮されておらず、改善余地があった。
【００２１】
一方、例えば特許文献２の装置では、プラズマが形成される真空容器内の下方に試料である半導体基板が配置され、真空容器の上部においてマイクロ波導入窓とその窓の上方に配置された電磁コイルおよびヨークとがリング状に配置された構成を有する。この構成では、真空容器内でリング状の分布を持つようにプラズマが形成される。この構成で、例えばマイクロ波導入窓から導入される電界の強度を変動させたとしても、真空容器内の下方の試料から見たリング内部のプラズマの密度や強度の分布の調節は困難となってしまう。このため、試料室内の圧力に応じて変動するプラズマの密度や強度の分布に応じて、試料の処理の特性の径方向でのばらつきを低減するには、限界があった。
【００２２】
上記のように、従来技術のプラズマ処理装置では、室内の試料の径方向でのプラズマの密度や強度の分布の不均一の抑制および改善によって処理の特性のばらつきを低減することが充分には実現できない。そのため、処理の歩留まりが損なわれる等の課題があった。
【００２３】
（実施の形態）
図１〜図３を用いて、本発明の一実施の形態のプラズマ処理装置について説明する。なお、以下では、説明上、方向として、Ｚ方向、Ｒ方向、Ｃ方向等を用いる。Ｚ方向は、装置を構成する真空容器等の円筒や円柱や円板等の軸対称形状における中心軸方向、鉛直方向に対応する。Ｒ方向は、水平方向のうち、円筒等の軸対称形状における半径方向（径方向）に対応し、Ｃ方向は、円周等の周方向に対応する。また、平面視とは、Ｚ方向で水平面をみる場合を指す。
【００２４】
［概要等］
本実施の形態のプラズマ処理装置では、軸対称形状を持つ真空容器および導波管の外周を囲むように、コイルおよびヨーク（第１ヨーク）を含む静磁界発生装置が配置されている。そして、本実施の形態のプラズマ処理装置では、特に、真空容器等の中心軸方向に沿って、処理室と導波管との間の空洞部内に、軸対称形状の磁性体製の第２ヨークが配置されている。第１ヨークは、鉛直方向で窓部材よりも下方で試料台の試料の付近まで達する位置に下端があり、導波管の外周とコイルの内周との間に配置される内周部を含む。第１ヨークの内周部の下端部から下方へ延長する領域に、第２ヨークが配置されている。静磁界発生装置による磁界は、第１ヨークの内周部の下端部から、第２ヨーク、窓部材等を経由して、処理室内を通って試料台の試料の外周部付近を通過する磁力線を有する。
【００２５】
本実施の形態のプラズマ処理装置では、処理室内の上側の空間で、第２ヨークの下端部の付近のリング状の領域に、相対的に強い静磁界が形成される。これに対応して、本実施の形態のプラズマ処理装置では、処理室内の上側の空間で、第２ヨークの下端部の付近のリング状の領域で相対的に強度または密度が大きいプラズマの分布が形成される。これにより、本実施の形態のプラズマ処理装置では、処理室内の試料の面に近い空間では、径方向でのプラズマの分布として、従来の中高の分布（凸分布）が抑制されて、より均一で平らな分布に近付けられる。
【００２６】
本実施の形態の構成において実現できる上記特性や効果に関して、本発明者は、以下のような知見を得た。一般に、プラズマは、静磁界の方向に対し垂直な方向の拡散が抑制され、強い静磁界に対しては、より抑制効果が高くなる。そのため、プラズマは、静磁界の強い箇所への拡散が抑制される。そのため、空間内で強い磁場が形成された領域では相対的にプラズマの密度等が大きくなる傾向がある。
【００２７】
このことに基づいて、本実施の形態のプラズマ処理装置では、上記空洞部内に第２ヨークが配置された構成を有する。この構成では、第２ヨークの位置に対応して、処理室内の上側の空間の径方向での静磁界の分布としては、リング状に相対的に強い静磁界が形成された分布になる。そのため、この構成では、処理室内の上側の空間において、プラズマの強度または密度の分布としてリング状の分布が形成される。この分布では、リング状の領域でプラズマの強度等が相対的に大きく、そのリング状の領域の外側にある領域ではプラズマの強度等が相対的に小さくなる。また、そのリング状のプラズマの分布に基づいて、鉛直方向では上側から下側へ行くにつれて、プラズマが径方向で拡散する作用が大きい。そのため、処理室内の試料の面に近い空間では、プラズマの強度または密度の分布として、均一で平らな分布に近付けられる。
【００２８】
また、処理室内で形成されるプラズマは、主にマイクロ波の電界によって加速された電子が、処理室内に供給されたガスの原子または分子に衝突して、電離または解離されることで生起される。このため、空間内でこのような粒子の密度が高い箇所ではプラズマがより生成されやすい。本実施の形態のプラズマ処理装置では、上記第２ヨークを含む構成によって、リング状の静磁界に対応させて、リング状のプラズマ領域を生成可能である。本実施の形態のプラズマ処理装置は、上記のような知見に基づいて為されたものである。
【００２９】
また、従来技術のプラズマ処理装置では、真空容器の外側に配置され静磁界を供給するための電磁石（特にコイル）と、プラズマが形成される処理室との間には、所定の空間または空洞、それらを構成する構造物等が介在し、その空間等の分の距離が介在する。そのため、従来技術では、電磁石から処理室内へ静磁界を供給、印加する際に、近い距離での効率的な供給、印加は難しい。そのことにも影響されて、上記のように、処理室内のプラズマ密度分布が中高の分布のように不均一になる傾向を有する。これに関して、本実施の形態では、電磁石および第２ヨーク等の配置を工夫した構成によって、電磁石から処理室内へ静磁界を好適に供給、印加して、好適なプラズマ分布等を実現する。
【００３０】
用語について補足する。一般的に、「ヨーク」（継鉄）は、磁石と組み合わせて使用される鉄や鋼等の部材である。磁石とヨークとの組み合わせで、磁気回路が形成される。その磁気回路では、磁束を必要な箇所に集中させることができる。本実施の形態におけるヨークである第１ヨーク（図１のヨーク１１３）や第２ヨーク（ヨーク２０１）は、静磁界の分布を調整する部材である。
【００３１】
［（１）真空容器、処理室］
図１は、一実施の形態のプラズマ処理装置１の構成の概略を模式的に示す縦断面図である。この縦断面図は、真空容器１０４等の中心軸（一点鎖線で示す）を通る断面であり、Ｒ方向とＺ方向とで成すＲ−Ｚ平面で示される。図１のＺ方向の矢印の起点が下側、矢側が上側を示す。Ｒ方向の矢印の起点が中心軸側、矢側が外周側を示す。なお、真空容器１０４等は、円筒形状等の軸対称形状を有するため、周方向（Ｃ方向）の各位置での縦断面は概ね同様である。
【００３２】
プラズマ処理装置１は、マイクロ波ＥＣＲを用いたプラズマエッチング処理装置である。プラズマ処理装置１は、真空容器１０４内に配置および構成されている処理室１１５内に、ＥＣＲを用いてプラズマを形成し、試料２に対するエッチング処理を行う。処理室１１５内に配置されている試料台１０６の載置面である上面には、半導体ウエハ等の基板状の試料２（被処理基板）が載置および保持される。試料台１０６および試料２は、平面視で特に円形状を有する。プラズマ処理装置１は、試料台１０６の試料２の上面に予め配置されたマスク層およびその下方の処理対象の膜層を有する膜構造における処理対象の膜層を、プラズマを用いてエッチング処理する。
【００３３】
プラズマ処理装置１は、真空容器１０４、プラズマ形成部、ガス供給系、真空排気部、高周波電力供給部、等を備える。
【００３４】
真空容器１０４は、概略円筒形状を有し、図示しないガス供給系等が接続されている。真空容器１０４内、特に空洞部１０２を除く下部には、真空状態とされるプラズマ処理室である処理室１１５が構成されている。処理室１１５の上面部は窓部材１０３およびガス分散板１１４で構成されている。処理室１１５内には、中心軸に沿って、下部に試料台１０６が配置されている。処理室１１５内には、上部の側面に、内筒１１７およびアース電極１０５が配置されている。
【００３５】
真空容器１０４内の上部には、空洞部１０２が構成されている。空洞部１０２内には、円筒形状のヨーク２０１が配置されている。空洞部１０２の上方には、中心軸に沿って、円形導波管１０９を含む導波路が接続されている。また、真空容器１０４の円筒形状の側壁の外周、および円形導波管１０９の外周には、それらを覆うように近接して電磁石１０１が配置されている。電磁石１０１は、ソレノイドコイル１１２およびヨーク１１３を含む。
【００３６】
プラズマ処理装置１では、真空容器１０４等の中心軸に沿って、軸対称形状の各部が配置されている。軸対称形状または軸対称配置の各部として、真空容器１０４、処理室１１５、試料台１０６（基板電極を含む）、試料２、内筒１１７、アース電極１０５、窓部材１０３、空洞部１０２、ヨーク２０１、円形導波管１０９、電磁石１０１（ソレノイドコイル１１２、ヨーク１１３）を含む。
【００３７】
プラズマ形成部は、真空容器１０４の上方や側方に配置されている、導波路や電磁石１０１等を含む部分である。プラズマ形成部は、真空容器１０４内の処理室１１５内に、処理用ガスに基づいてプラズマを形成するためのマイクロ波の電界および静磁界を供給する。そして、プラズマ形成部は、電界および静磁界の相互作用によるＥＣＲを用いてプラズマを形成する。導波路は、マイクロ波源１１０、アイソレータ１１１、方形導波管１０７、方形円形変換器１０８、および円形導波管１０９等で構成される。
【００３８】
マイクロ波源１１０は、マイクロ波の電界を形成し、導波路へ供給する。アイソレータ１１１は、マイクロ波源１１０への反射波の入射を防止する。方形導波管１０７は、水平方向のうちの一方向（図示のＲ方向）に沿ってマイクロ波の電界を伝播する、断面が方形の導波管である。円形導波管１０９は、中心軸に対応する鉛直方向（Ｚ方向）に沿って上から下へマイクロ波の電界を伝播する、断面が円形の導波管である。方形円形変換器１０８は、方形導波管１０７からの方向の電界を、円形導波管１０９の方向の電界へと変換する変換器であり、コーナーを兼ねる。
【００３９】
電磁石１０１は、ソレノイドコイル１１２等の励磁コイルと、磁界を調整するヨーク１１３とを有する。電磁石１０１は、ソレノイドコイル１１２で生起されてヨーク１１３によって調整された静磁界を、処理室１１５へと供給する。この静磁界の方向は、中心軸方向（Ｚ方向）に対し概ね平行な方向である。
【００４０】
図示しないガス供給系は、プラズマ形成のためのガスである処理用ガスを供給する。真空容器１０４のガス分散板１１４は、ガス供給系の管路と接続されている。処理用ガスは、ガス分散板１１４を介して処理室１１５内に供給される。また、図示しない真空排気部は、真空容器１０４の底面と連結されて、処理室１１５と連通している。真空排気部は、真空ポンプ、流量調節バルブ等を含む。真空ポンプは、処理室１１５内のガスやプラズマ等の粒子を排気して減圧するターボ分子ポンプ等である。流量調節バルブは、排気の流量または速度を調節する。
【００４１】
高周波電力供給部として、高周波電源１１９、および自動整合器１１８を有する。試料台１０６の内部の基板電極は、自動整合器１１８を介して高周波電源１１９と電気的に接続されている。高周波電源１１９は、高周波（Radio Frequency：ＲＦ）によるバイアス電位を形成するための高周波電力（ＲＦ電力）を供給する。
【００４２】
［（２）導波路、マイクロ波の電界］
マイクロ波源１１０は、マイクロ波の電界を発振して形成するマグネトロン等の発振器で構成される電界源である。本実施の形態の一例では、マイクロ波の電界として周波数が２．４５ＧＨｚのものが用いられる。
【００４３】
円形導波管１０９は、処理室１１５、窓部材１０３、空洞部１０２、およびヨーク２０１等の中心軸に沿って上方に配置されている。円形導波管１０９の上端部は、方形円形変換器１０８の一方端部と連通して接続されている。円形導波管１０９の下端部は、空洞部１０２の上面部の中央部の開口と連通して接続されている。方形円形変換器１０８の他方端部は、方形導波管１０７の一方端部と連通して接続されている。方形導波管１０７の両端部の間には、自動整合器およびアイソレータ１１１が配置されている。方形導波管１０７の他方端部にはマイクロ波源１１０が接続されている。
【００４４】
マイクロ波の電界は、マイクロ波源１１０で発振されて形成された後、方形導波管１０７内を伝播して、方形円形変換器１０８で方向が変換されて、円形導波管１０９内に伝播する。マイクロ波の電界は、Ｚ方向で円形導波管１０９内を伝播して、空洞部１０２内（特にヨーク２０１内の空洞２１１）に導入される。マイクロ波の電界は、空洞部１０２内で電界の分布が調節される。その後、マイクロ波の電界は、空洞部１０２から窓部材１０３およびガス分散板１１４を透過してＺ方向で処理室１１５内に放射状に導入される。放射状は、中心軸から外周へ拡がる軸対称形状である。処理室１１５内のマイクロ波の電界は、後述の静磁界と相互作用し、これによってＥＣＲ現象が生起される。処理室１１５内の処理用ガスに対し、ＥＣＲ現象によって、プラズマが形成される。
【００４５】
［（３）窓部材、ガス分散板］
窓部材１０３は、プラズマ形成用のマイクロ波の電界が透過する材料として誘電体製の材料で構成され、マイクロ波を処理室１１５へ導入するマイクロ波導入窓である。窓部材１０３は、処理室１１５の中心軸に沿って上方に配置されている。窓部材１０３は、一定の厚さの円板形状を有する。窓部材１０３の外周端は、真空容器１０４の側壁の一部と接続されている。
【００４６】
窓部材１０３の下面に対し、Ｚ方向で所定の距離の隙間を空けて、ガス分散板１１４が配置されている。ガス分散板１１４は、窓部材１０３と同様に円板形状を有する。窓部材１０３およびガス分散板１１４は、真空状態を構成する要素として、処理室１１５の上面部となる蓋を構成している。窓部材１０３は、空洞部１０２の底面部も構成している。ガス分散板１１４は、処理室１１５内の上面を構成している。
【００４７】
窓部材１０３およびガス分散板１１４は、誘電体製の材料として、本実施の形態の一例では石英が用いられる。この材料は、条件として、処理室１１５内に形成されるプラズマとの間で処理室１１５内の処理に悪影響を与える相互作用を生起しにくい材料が用いられる。
【００４８】
ガス源であるガス供給系と、真空容器１０４の側壁およびガス分散板１１４等の部分とは、図示しないガス供給用管路で連結されている。ガス源からのガスは、その管路を通じて供給されて、真空容器１０４の側壁を介してガス分散板１１４の流路に導入される。ガスは、例えばガス分散板１１４の上面と窓部材１０３の下面との隙間を用いた流路を通じて、ガス分散板１１４の導入口へと供給される。ガスは、その流路を通じて拡散される。なお、変形例としては、ガス分散板１１４の内部にガスの流路が設けられていてもよい。
【００４９】
ガス分散板１１４には、ガスを分散させて処理室１１５内に供給するための流路や導入口が設けられている。ガス分散板１１４にはガスの導入口を有する。導入口には、複数の貫通孔が形成されている。貫通孔は、Ｒ方向で中心軸位置に近いほど多く形成されている。ガスは、導入口の複数の貫通孔を通じて分散されて処理室１１５内に導入される。そのガスは、処理室１１５内で上から下へシャワー状に供給される。そのガスは、供給の際に、所定の流量や速度に調節されて供給される。ガスの流量または速度、あるいはガス分散板１１４の貫通孔の数、形状、および配置位置等が、適切に調節されている。これにより、処理室１１５内に供給されるガスの分布が処理用に好適になるように調節されている。
【００５０】
［（４）試料台、ＲＦバイアス技術］
処理室１１５の下部には、中心軸の位置に、円柱状の試料台１０６が配置されている。試料台１０６は、基材や基板電極で構成されている。試料台１０６の上面である載置面には、処理対象の半導体ウエハ等の試料２が載せられて保持される。本実施の形態の一例では、試料２として、直径３００ｍｍの円板形状を持つシリコン製の基板が用いられる。試料台１０６の上面である載置面は、図示しない誘電体製の膜と、その膜内に配置された膜状の電極とで構成されている。試料２は、試料台１０６の上面の膜上に載せられて、膜状の電極に直流電源から電力が供給されて生起された静電気力によって、膜状に吸着され保持された状態となる。
【００５１】
試料台１０６の内部には、金属等の導電体材料で構成された円板形状または円筒形状を有する基板電極が配置されている。試料台１０６の基板電極には、自動整合器１１８を介して高周波電源１１９から所定の周波数のＲＦ電力が供給される。本実施の形態では、高周波電源１１９からのＲＦ電力の周波数は、４００ＫＨｚ〜１．２ＭＨｚの範囲から選択される周波数である。自動整合器１１８は、ローパスフィルタを含む。ＲＦ電力の供給により、基板電極は、試料２の面の上方にＲＦバイアス電位を形成するための電極として機能する。
【００５２】
試料台１０６に試料２が保持されている状態で、処理室１１５内には、ガス供給系からガス分散板１１４を介して処理用ガスが供給される。また、その状態で、導波路から、空洞部１０２内を伝播して、窓部材１０３およびガス分散板１１４を透過して、処理室１１５内にマイクロ波の電界が供給される。また、その状態で、電磁石１０１により生起された磁界である静磁界が処理室１１５内に供給される。その状態で、処理室１１５内の処理用ガスが、マイクロ波の電界と磁界との相互作用によって生起したＥＣＲによって励起され、電離や解離して、プラズマが形成される。
【００５３】
また、処理室１１５内にプラズマが形成された状態で、試料台１０６の基板電極にＲＦ電力が供給される。これにより、試料２の上面の上方にプラズマの電位に応じたＲＦバイアス電位が形成される。そして、ＲＦバイアス電位との電位差に応じて、プラズマ内のイオン等の荷電粒子が、試料２の表面に誘引され、その表面上の膜構造の処理対象の膜層表面に入射する。これにより、試料２の膜層の処理が特定の方向に促進される。
【００５４】
このように、ＲＦバイアス技術では、処理中の試料２にＲＦ電力を印加し、プラズマ中の荷電粒子を試料２の表面に誘引することで、処理の高速化や品質向上が実現される。例えば、処理対象の膜層をエッチング処理する場合、ＲＦバイアス電位が形成されることで、試料２の上面に垂直な方向にイオンが入射する。そのため、エッチングが試料２に垂直な方向に大きく進む異方性の加工が達成される。
【００５５】
このようなＲＦバイアス電位の形成を効果的に処理に適用する上では、試料２と、所定の電位を持つプラズマを介したアース（対応するアース電極）との間の見かけ上の電流の経路のインピーダンスが重要となる。すなわち、試料２とプラズマとの間の試料２の上面に形成されるシースは、非線形性のインピーダンスを持つことが知られている。このシース内をＲＦ電力によるＲＦバイアス電流が流れることで、試料２の実効値としての電位である直流電位が下がり、プラズマ中の荷電粒子を効果的に引き込むことができる。
【００５６】
このようにＲＦバイアス電流を効率よく流すために、処理室１１５の側壁の内側の面には、導電体製のアース電極１０５が配置されている。このアース電極１０５は、試料台１０６の試料２の高さ方向（Ｚ方向）の上方の位置で、試料２の上方の空間を囲むように、リング形状の部材として設けられている。リング形状は、言い換えれば、平面視の円周面で所定の幅を持つ円筒形状である。特に、アース電極１０５は、内筒１１７と一部重なるようにして、内筒１１７の下側の位置に配置されている。
【００５７】
［（５）内筒］
真空容器１０４の円筒形状の側壁の内側壁面において、窓部材１０３およびガス分散板１１４の外周部の下方の位置には、処理室１１５の上部（特に上側の空間）の側壁を構成するように、内筒１１７が配置されている。内筒１１７は、真空容器１０４の側壁の内側の面に近接して配置されている。内筒１１７は、誘電体製の材料、本実施の形態の一例では石英で構成される、円筒形状の構造物である。内筒１１７は、言い換えると、軸対称形状の内壁部である。内筒１１７は、処理室１１５内のプラズマが形成される空間との間で、真空容器１０４の側壁の内側の面を覆うように配置されている。これにより、内筒１１７は、その真空容器１０４の側壁の面を、プラズマによるけずれや消耗等から保護する機能を持つ。
【００５８】
また、実施の形態では、真空容器１０４の処理室１１５を囲む側壁部分の面と、アース電極１０５の上端部とで形成される窪み（凹部）内に、内筒１１７の下部の一部が挿入されて、内筒１１７がアース電極１０５上に載せられるようにして保持されている。アース電極１０５のＲ方向での所定の内径と、内筒１１７のＲ方向での所定の内径とを有する。アース電極１０５の内径の方が内筒１１７の内径よりも小さい。アース電極１０５の周方向で延在する円周部分におけるＲ方向の所定の幅と、内筒１１７の周方向で延在する円周部分におけるＲ方向の所定の幅とを有する。アース電極１０５の幅の方が内筒１１７の幅よりも大きい。また、Ｚ方向で、アース電極１０５の所定の高さ寸法と、内筒１１７の所定の高さ寸法とを有する。
【００５９】
なお、処理室１１５内の空間は、大別して、上部の空間と、下部の空間とを有する。下部の空間は、試料台１０６の試料２の面以下の部分とする。上部の空間は、試料台１０６の試料２の面以上の部分とする。上部の空間は、さらに、窓部材１０３等に近い上側の空間と、試料２の面に近い下側の空間とを含む。上側の空間には、リング状の領域２０３を含む。リング状の領域２０３は、静磁界やプラズマの分布の概要を説明するために、一部の空間領域を、破線の楕円を用いて模式的に示したものである。
【００６０】
［（６）静磁界発生装置］
プラズマ処理装置１は、静磁界発生装置として電磁石１０１を有する。電磁石１０１は、静磁界を生成する磁界生成器である。電磁石１０１は、真空容器１０４の外周、および円形導波管１０９の外周を囲むように、概略リング状に配置されている。電磁石１０１によって生起された静磁界は、真空容器１０４内の処理室１１５内にＥＣＲを生起するために供給される。
【００６１】
電磁石１０１は、複数のソレノイドコイル１１２と、ヨーク１１３とを含む、多段構造物として、本実施の形態の例では概略的に２段の構造物として、構成されている。複数の各々のソレノイドコイル１１２には、プラズマ処理装置１の図示しない制御部によって直流電力の大きさが調節されて供給される。複数のソレノイドコイル１１２は、多段のコイルとして構成され、第１コイル１２Ａと、第２コイル１２Ｂとを有する。第１コイル１２Ａは上段部を構成しており、第２コイル１２Ｂは下段部を構成している。
【００６２】
第１コイル１２Ａは、空洞部１０２の中央部を除く上面部の上方（空間２１２の上方）に近接して配置され、かつ円形導波管１０９の外周をリング状に囲むように配置されている。第１コイル１２Ａの外径は、真空容器１０４の外径よりも大きく、第２コイル１２Ｂの外径と同程度である。第２コイル１２Ｂは、空洞部１０２および処理室１１５の上部を含む部分を囲む真空容器１０４の側壁の外周を囲むように近接して配置されている。
【００６３】
ソレノイドコイル１１２の各々のコイルに供給される直流電力の大きさが調節されることで、電磁石１０１が発生する磁場の強さの分布が調節される。これにより、処理室１１５内での静磁界の強度あるいは磁力線の密度の分布が調節される。電磁石１０１は、処理室１１５の中心軸方向（Ｚ方向）に対し概略的に平行な方向の成分を含む磁場（静磁界）を発生させる。この磁場（静磁界）における磁力線の一部の一例として、磁力線２０２を有し、点線曲線で模式的に示している。
【００６４】
ヨーク１１３は、多段の複数のソレノイドコイル１１２の周囲を一体的に囲むように配置された、磁性体製、導電体製の第１ヨークである。ヨーク１１３は、ソレノイドコイル１１２による磁場が外部に漏洩することの抑制、および磁界を処理室１１５内に効率良く供給する調整のために設けられている。ヨーク１１３は、飽和磁束密度の高い材質で作製されていることが望ましく、価格や入手のしやすさから、本実施の形態の一例では純鉄が用いられる。ヨーク１１３は、処理室１１５内に効率よく静磁界を加えるために、複数のソレノイドコイル１１２の全体を囲むように一体的な部材で構成されている。
【００６５】
ヨーク１１３は、詳しくは、複数の壁部として、外周部１３Ａ、上面部１３Ｂ、および内周部１３Ｃを有する。外周部１３Ａは、第１コイル１２Ａの外周および第２コイル１２Ｂの外周を覆うように配置されている、円筒形状の部分である。上面部１３Ｂは、第１コイル１２Ａの円周形状の上面を覆うように配置されている、所定の幅を持つ円周形状の部分であり、開口の中央部を持つリング形状の部分である。内周部１３Ｃは、第１コイル１２Ａの内周と円形導波管１０９の外周との間で、第１コイル１２Ａの内周を覆うように配置されている、円筒形状の部分である。外周部１３Ａの上端部と上面部１３Ｂの外周端部とが接続されている。上面部１３Ｂの内周端部と内周部１３Ｃの上端部とが接続されている。
【００６６】
内周部１３Ｃは、円形導波管１０９の外周の側壁に近接して配置されている。内周部１３Ｃは、円形導波管１０９の上端部の位置に対応して配置されている上端部からＺ方向で下向きに下端部まで延在している。内周部１３Ｃは、下端部が、空洞部１０２の上面部の上面に対して所定の距離の隙間を持って対向するように配置されている。内周部１３Ｃの下端面は、上段の第１コイル１２Ａの底面の高さ位置以下の位置とされる。本実施の形態の一例では、内周部１３Ｃの下端面は、第１コイル１２Ａの底面と同じ高さ位置としている。内周部１３Ｃの下端部は、空洞部１０２の上面部を介して、ヨーク２０１の上端部に対向している。内周部１３Ｃの下端部は、Ｚ方向の延長上に、ヨーク２０１を介して、窓部材１０３の上面の一部に向いている。
【００６７】
実施の形態では、下段の第２コイル１２Ｂおよびヨーク１１３の外周部１３Ａは、処理室１１５の上部の周囲を含むように、リング状に配置されている。第２コイル１２Ｂおよびヨーク１１３（外周部１３Ａ）の下端は、Ｚ方向の高さ位置として、少なくとも窓部材１０３の下面よりも下方の位置とされる。本実施の形態の例では、第２コイル１２Ｂおよびヨーク１１３（外周部１３Ａ）の下端は、概略的に試料２の高さ位置付近で、アース電極１０５の下端面以下の位置まで延伸されている。ヨーク１１３の外周部１３Ａの下端面は、第２コイル１２Ｂの下端面以下の位置とされる。第２コイル１２Ｂの上端は、処理室１１５の上方の窓部材１０３の高さ位置よりも上方で、概略的に空洞部１０２の上面部の位置まで延伸されている。外周部１３Ａの上端は、第１コイル１２Ａの上面の位置まで延伸されている。第１コイル１２Ａおよびヨーク１１３の内周部１３Ｃは、Ｚ方向の高さ寸法としては、円形導波管１０９の高さ寸法と同程度である。
【００６８】
なお、複数のソレノイドコイル１１２およびヨーク１１３は、上記構成例に限らず、各種の変形が可能である。
【００６９】
本実施の形態で、電磁石１０１による静磁界は、磁力線の向きが、処理室１１５へのマイクロ波の電界の投入方向である中心軸方向（Ｚ方向）と概ね平行となるように設定されている。マイクロ波の電界によるＥＣＲは、マイクロ波の進行方向と平行な静磁界によって効率よく起きることが知られているためである。この結果、本実施の形態で、処理室１１５内の静磁界は、処理室１１５内の中心軸を含む中央部において、概ね中心軸方向に沿った方向に磁力線が形成される構成となっている。
【００７０】
実施の形態の構成では、特に、電磁石１０１の中心軸に沿ってＺ方向で上側から下側へ単調に弱くなる静磁界（発散磁場と称する）が発生する。電磁石１０１における複数のソレノイドコイル１１２は、上段の第１コイル１２Ａが相対的に強い静磁界を発生し、下段の第２コイル１２Ｂが相対的に弱い静磁界を発生する。このため、上段の第１コイル１２Ａの起磁力は、下段の第２コイル１２Ｂに比べ、相対的に大きくされている。
【００７１】
［（７）空洞部、第２ヨーク］
空洞部１０２は、円形導波管１０９の下端部と接続され、導波路の一部を構成している概略円筒形状の部分である。空洞部１０２は、円筒形状の側壁（真空容器１０４の上部側壁部）と、中央部に開口を持つリング状の上面部と、窓部材１０３による底面部とを有する。空洞部１０２は、真空容器１０４の一部、または真空容器１０４の側壁から上方に延長された部分として構成されている。空洞部１０２は所定の高さ寸法を有する。空洞部１０２の側面部および上面部は、真空容器１０４の壁部で構成されている。真空容器１０４の壁部は金属等の導電体製である。
【００７２】
実施の形態のプラズマ処理装置１では、処理室１１５内のリング状の領域２０３に対応するリング状の分布を形成する作用を実現するための工夫として、空洞部１０２内にヨーク２０１を設けた。ヨーク２０１は、磁性体製、導電体製の部材により構成される円筒形状の構造物（言い換えると円筒構造部）である。本実施の形態の一例では、ヨーク２０１の材料として、ヨーク１１３と同様に、純鉄を用いた。ヨーク２０１は、電磁石１０１から処理室１１５へ供給される静磁界を調整する機能を有する。ヨーク２０１は、内部の空洞２１１が円形導波管１０９と連通していて、導波路の一部も構成しており、円形導波管としての機能も兼ねている。
【００７３】
ヨーク２０１の表面、すなわち側壁の内側面および外側面は、マイクロ波の電界の損失を低減し、電界の伝播の効率を高めるために、表面処理の膜として、導電率の高い材料として例えば銀がメッキ（被膜）されている。
【００７４】
空洞部１０２の径は、窓部材１０３や真空容器１０４の径と概略同程度に大きい。本実施の形態では、真空容器１０４の円筒形状の側壁において、処理室１１５の上部の外周を覆う側壁部分（下部側壁部）の所定の厚さと、空洞部１０２の外周を構成する側壁部分（上部側壁部）の所定の厚さとを有し、それらの厚さが異なる。下部側壁部の厚さよりも上部側壁部の厚さの方が小さい。それに対応して、処理室１１５内の空間の径よりも、空洞部１０２の内径の方が大きい。下部側壁部では、内側面に近接して内筒１１７およびアース電極１０５が設けられている。そのため、処理室１１５内の上部の空間の径よりも、空洞部１０２内の空間２１２の径（外径）の方が大きい。ガス分散板１１４および窓部材１０３は、処理室１１５の外周の側壁部分（下部側壁部）および内筒１１７の上端部の上に、外周端部が載るようにして保持されている。
【００７５】
ヨーク２０１の高さ寸法は、空洞部１０２の高さ寸法と同程度である。ヨーク２０１の円周形状の上端面は、空洞部１０２の上面部（中央部の開口の近傍）の下面に概ね接している。ヨーク２０１の円周形状の下端面は、窓部材１０３の上面の対応する一部に概ね接しており、言い換えると上面に載せられるようにして配置されている。ヨーク２０１の径は、円形導波管１０９の径よりも大きい。ヨーク２０１の径は、空洞部１０２や窓部材１０３や処理室１１５の径、試料台１０６および試料２の径よりも小さい。本実施の形態の例では、ヨーク２０１の内径は、ヨーク１１３の内周部１３Ｃの径と同程度としている。
【００７６】
円筒形状の空洞部１０２内は、円筒形状のヨーク２０１の配置によって区画されることで、ヨーク２０１の内側の空洞２１１（円柱状空洞部）と、ヨーク２０１の外側の空間２１２（リング状空洞部）とを有する。空洞２１１は、円形導波管１０９と連通しており、底面は窓部材１０３の中央部によって構成されている。ヨーク２０１の外周は、リング状の空間２１２によって囲まれている。空間２１２は、底面が窓部材１０３の外周部によって構成されている。空洞２１１および空間２１２は、それぞれマイクロ波の電界が伝播する。マイクロ波の電界は、空洞２１１から下方の処理室１１５内の領域へ、窓部材１０３およびガス分散板１１４を介して透過する。同様に、マイクロ波の電界は、空間２１２から下方の処理室１１５内の領域へ、窓部材１０３およびガス分散板１１４を介して透過する。また、変形例として、ヨーク２０１の下端部や上端部に隙間の空間を設ける構成としてもよく、その場合、空洞部１０２内で、マイクロ波の電界がＲ方向で空洞２１１から空間２１２へその空間を通じて伝播する成分を持つ。
【００７７】
ヨーク２０１の内径および外径を含む寸法および形状は、下記のように選択されて設計されている。ヨーク２０１の内周の径、および空洞２１１の径は、空洞２１１をマイクロ波の電界が伝播する円形導波管として機能、動作させるために、円形導波管１０９内のマイクロ波の電界の最低次モードであるＴＥ１１モードが伝播できる寸法にされている。磁力線２０２は、内周部１３Ｃの下端部から、ヨーク２０１の内部を通り、試料２の外周端の付近を貫通するように、Ｚ方向の上から下へしだいに拡がる形状を持つ。このような磁力線２０２が形成されるように、ヨーク１１３およびヨーク２０１を含む構成要素の寸法や形状が選択されている。
【００７８】
電磁石１０１により形成される磁場は、処理室１１５内において発散磁場となる。そのため、図示のように、ヨーク２０１の内径は、試料２の直径（例えば３００ｍｍ）よりも小さい値、本実施の形態の例では２２０ｍｍにされている。このヨーク２０１の内径の値は、マイクロ波の周波数である本例での２．４５ＧＨｚに対し、マイクロ波の電界がヨーク２０１の空洞２１１を最低次モードであるＴＥ１１モードで伝播できる条件を満たす。
【００７９】
図１のように、本実施の形態では、第２ヨークであるヨーク２０１は、内部に空洞２１１を構成する円筒形状を有し、円形導波管１０９の下方に連通して連続的に配置されている。そのため、このヨーク２０１は、円形導波管（第２円形導波管）として機能する。円形導波管１０９からの電界は、Ｚ方向でヨーク２０１内の空洞２１１に導入されて空洞２１１内や空間２１２内を伝搬する。その電界は、さらに下方にある窓部材１０３の部分を透過して処理室１１５内の上部に放射状に導入される。その電界は、処理室１１５内のリング状の領域２０３では、相対的に強い静磁界の作用によって、相対的に強度が大きくなる。これにより、処理室１１５内の上部のリング状の領域２０３に対応して、プラズマの強度または密度の分布として、リング状の分布が形成される。
【００８０】
また、図１のように、本実施の形態では、電磁石１０１のヨーク１１３（第１ヨーク）と、空洞部１０２内のヨーク２０１（第２ヨーク）とは、磁界に関する機能や作用の点で関連した部分であり、それらを含めて１つのヨーク構造物として捉えることもできる。形状としては、ヨーク１１３の内周部１３Ｃの下端からＺ方向に延長する領域にヨーク２０１が配置されている。この内周部１３Ｃとヨーク２０１とによるヨーク構造物は、磁力線２０２のように所定の好適な磁界を形成するように、ソレノイドコイル１１２による磁界を調整する。
【００８１】
なお、ヨーク２０１と窓部材１０３については、上記のように略接する構成に限らず、ヨーク２０１の下端面と、窓部材１０３の上面との間に、所定の距離の隙間を設けるようにしてもよい。あるいは、ヨーク２０１の上端面と、空洞部１０２の上面部との間に、所定の距離の隙間を設けるようにしてもよい。
【００８２】
［（８）電界、静磁界、およびプラズマの分布］
本発明者は、従来技術のプラズマ処理装置に対し、処理室１１５内の試料２の上方の空間にリング状の分布を持つプラズマを生成するための改良を検討した。本発明者は、そのリング状の分布のプラズマを生成するために、処理室１１５内の試料２の上方の空間（特に窓部材１０３に近い上側の空間）に、相対的に磁場の強い領域をリング状に形成することを検討した。この検討の結果、本発明者は、試料２の外周部付近をＺ方向に貫通する磁力線２０２が窓部材１０３と交わる点の位置を基準にして、ヨーク２０１を用いて、相対的に磁場の強い領域をリング状に形成する構成を想起した。
【００８３】
図１で、処理室１１５の上部の空間のうち、窓部材１０３およびヨーク２０１に近い上側の空間における、リング状の領域２０３を模式的に示している。磁力線２０２を中心としてそれに沿うようにリング状の領域２０３を有する。ヨーク１１３の内周部１３Ｃに沿った磁力線２０２は、ヨーク２０１に沿って概ねＺ方向に延在しつつ、しだいにＲ方向の外周側へ放射状に拡大するように延在し、試料台１０６の試料２の外周端の付近を通る。図１のヨーク１１３およびヨーク２０１の形状および配置によって、磁力線２０２を含む静磁界の磁場が形成される。特に、ヨーク１１３の内周部１３Ｃ、ヨーク２０１の下端部、およびヨーク１１３の外周部１３Ａの下端部等の配置から、Ｚ方向で外周側へしだいに拡散する形状の磁力線２０２が形成される。
【００８４】
前述のマイクロ波の電界および電磁石１０１からの静磁界に基づいて、ヨーク２０１を含む構成の作用によって、ヨーク２０１の下方の処理室１１５内の窓部材１０３等に近い上側の空間に、リング状の静磁界の分布が形成される。このリング状の領域２０３は、処理室１１５内の空間での静磁界の分布を考えた場合に、静磁界が相対的に強い領域であり、相対的に強い磁場が形成される領域である。この領域２０３では、磁力線２０２の付近で静磁界が一番強い。Ｒ方向でこのリング状の領域２０３の外側にある領域（すなわち中心軸を含む中央部の領域や内筒１１７の近傍の領域）では、静磁界が相対的に弱い領域となっている。
【００８５】
これにより、そのリング状の領域２０３では、相対的にプラズマの形成が促進され、そのリング状の領域２０３の外側にある領域では、相対的にプラズマの形成が抑制される。すなわち、そのリング状の領域２０３の静磁界の分布に対応させて、マイクロ波の電界と静磁界との相互作用に基づいて、プラズマの強度や密度の分布として、リング状の分布が形成される。リング状の領域２０３では相対的にプラズマの強度または密度が大きく、そのリング状の領域２０３の外側にある領域（中央部や内筒１１７の近傍の領域）では相対的に強度または密度が小さい分布となる。
【００８６】
一般に、プラズマは、磁力線に垂直な方向には拡散が抑制され、磁力線に沿った方向には拡散しやすい。そのため、試料２の外周部付近（例えば外周端またはその近傍の箇所）を貫通する磁力線２０２を含む静磁界に沿って、上記のようにリング状の領域２０３に対応したプラズマの分布となる構成とする。これにより、磁力線２０２に沿った拡散によって、試料２の径方向での特定の位置またはその位置を含む範囲で、プラズマの強度または密度が相対的に高い値となる。
【００８７】
このプラズマの強度または密度は、処理室１１５内の上部の空間において、窓部材１０３に近いＺ方向で上側の位置から試料２の面に近い下側の位置に行くに伴って低下する、あるいは値のばらつきが緩和される。図１のように、磁力線２０２に沿ったリング状の領域２０３からさらに下側の空間（試料２の面に近い下側の空間）を考えた場合、４つの実線矢印で模式的に示すように、プラズマの強度や密度は、Ｒ方向で中央部や外周部へ拡散する。これにより、試料２の面内のＲ方向でのプラズマの強度または密度は、上側の空間のリング状の分布から、下側の空間では、より均一で平らな分布へ変化する。
【００８８】
したがって、実施の形態のプラズマ処理装置１では、処理室１１５内の上部の空間、特に試料２に近い下側の空間でのプラズマの強度や密度の分布としては、従来技術の中高の分布（凸分布）が抑制されることで、より均一で平らな分布に近付けられる。すなわち、実施の形態では、試料２の上面の付近でのＲ方向でのプラズマの強度または密度の分布としては、中央部でも外周部でも同程度の平らな分布が実現できる。これにより、試料２の面内のＲ方向でのエッチング等の処理の特性のばらつきが低減されて、より均一な特性（例えば処理速度や加工形状）が実現できる。よって、試料２の処理の歩留まりを向上できる。また、プラズマ分布の設計としては、上記平らな分布に限らず、静磁界等の設計に応じて凹分布（Ｒ方向で中央部よりも外周部で強度等が大きい分布）等に設計することも可能である。
【００８９】
磁化プラズマ中のマイクロ波の伝播特性は、理論的にある程度解明されている。すなわち、静磁界に沿う方向に伝播するＲ波と呼ばれる円偏波（右円偏波）は、ＥＣＲ条件の静磁界を越える強磁場領域でプラズマ密度に関係なくプラズマ中を伝播できることが知られている。また、前述のＥＣＲ条件を満たす箇所で、マイクロ波の電力は、電子にきわめて効率よく吸収されることが知られている。そのため、ＥＣＲ条件を満たす箇所に、マイクロ波の電力を効率よく伝播させるために、強磁場領域からマイクロ波を導入し、プラズマ中を伝播させることが行われる。
【００９０】
本実施の形態では、処理室１１５の上部の空間（特に窓部材１０３に近い上側の空間）に、上記リング状に相対的に強い静磁界が形成され、処理室１１５の下部の空間に相対的に弱い静磁界が形成される。そのような静磁界が形成されるように、電磁石１０１の各段のソレノイドコイル１１２に供給される直流電流の大きさが調節される。さらに、上記処理室１１５の上部と下部との中間部分において、ＥＣＲ条件を満足する磁束密度となるように、各段のソレノイドコイル１１２に供給される直流電流の大きさが調節される。ＥＣＲ条件を満足する磁束密度は、マイクロ波の周波数が本例での２．４５ＧＨｚの場合、０．０８７５テスラである。各段のソレノイドコイル１１２に供給される直流電流の大きさは、前述の制御部から指令信号に基づいて調節される。
【００９１】
上記のように、実施の形態のプラズマ処理装置１では、電磁石１０１およびヨーク２０１を含む設計によって、処理室１１５内で好適な静磁界の分布（リング状の分布）を形成できる。そして、実施の形態のプラズマ処理装置１によれば、異なる処理の条件に対応して、処理室１１５内の試料２の上面の上方の空間で、適切に強度または密度の分布が調節されたプラズマを形成することができる。すなわち、異なる各種の処理に応じた、好適な各種の特性が実現できる。
【００９２】
本実施の形態のプラズマ処理装置１では、円形導波管１０９と処理室１１５の上面部である窓部材１０３との間にマイクロ波の電界を伝播する空洞部１０２を有し、空洞部１０２内に、円形導波管としての機能も持つ所定の径を持つヨーク２０１が配置されている。ヨーク２０１の径は、窓部材１０３等の径よりも小さく、それにより、空洞部１０２内にはリング状の空間２１２が構成されている。ヨーク２０１の外周がリング状の空間２１２によって囲まれている。マイクロ波の電界は、ヨーク２０１内の空洞２１１およびヨーク２０１外の空間２１２を伝播し、窓部材１０３等を透過して処理室１１５内に導入される。処理室１１５内の外周部の空間にも電界が導入される。上記空洞部１０２およびその中のヨーク２０１は、磁力線２０２を形成するように設計されている。そして、ヨーク２０１の下端部に近い下方の位置に対応したリング状の領域２０３に強い静磁界が形成され、対応してそのリング状の領域２０３で強度が大きいプラズマ分布が形成される。
【００９３】
［第１変形例］
実施の形態のプラズマ処理装置１の変形例として以下が挙げられる。実施の形態の構成で、マイクロ波の電界の反射が大きく、処理に適したプラズマの発生や維持が難しい場合等には、以下のような第１変形例を採用してもよい。
【００９４】
図２は、第１変形例のプラズマ処理装置１の構成概要を図１と同様に縦断面で示す。図２に示すように、第１変形例の構成では、実施の形態と異なる構成要素として、テーパ導波管３０１、誘電体板３０２を有する。第１変形例の構成では、円形導波管１０９の下端部と、ヨーク２０１の上端部および空洞部１０２の上面部の中央部の開口との間に、両者を接続するように、テーパ導波管３０１が配置されている。図２の円形導波管１０９は、図１の円形導波管１０９よりも高さ寸法が小さい。テーパ導波管３０１の上面の開口は、円形導波管１０９の下面の開口と連通しており、両者の径が同じである。テーパ導波管３０１の下面の開口は、ヨーク２０１の上面の開口および空洞部１０２の上面部の開口と連通しており、両者の径が同じである。
【００９５】
テーパ導波管３０１は、縦断面で台形であり、Ｚ方向で上から下へ径が一定に拡大する形状を有し、側壁が一定の傾きを持つ斜面であるテーパ形状または円筒形状を有する導波管である。テーパ導波管３０１の側壁の外周には、ヨーク１１３の内周部１３Ｃの下端部が配置されている。テーパ導波管３０１は、Ｚ方向で円形導波管１０９から伝播されたマイクロ波の電界を、空洞部１０２内、特にヨーク２０１内の空洞２１１へ伝播する。
【００９６】
第１変形例の構成で、電磁石１０１のヨーク１１３の内周部１３Ｃからの磁力線２０２は、テーパ導波管３０１を通って、実施の形態と同様に、ヨーク２０１に達し、ヨーク２０１に沿って概略的にＺ方向に延在して放射状に拡大しながら、試料台１０６の試料２の外周端付近へと達する。このことから、テーパ導波管３０１の材料としては、透磁率および飽和磁束密度の高い材料で構成することが望ましく、第１変形例では純鉄を用いた。
【００９７】
また、第１変形例の構成では、円筒形状のヨーク２０１内の空洞２１１の下部において、窓部材１０３の上面に接するように、誘電体板３０２が配置されている。誘電体板３０２は、マイクロ波を透過する誘電体製の円板形状の部材であり、マイクロ波の電界の反射波の制御および調整用の部材である。誘電体板３０２として本例では石英を用いた。誘電体板３０２は、外径がヨーク２０１の内径および空洞２１１の径と同程度である。誘電体板３０２の外周端面の形状は、円筒形状のヨーク２０１の側壁の内周面の形状と合致している。誘電体板３０２は、窓部材１０３の上面に載せられるようにして保持されている。誘電体板３０２は、外周端部がヨーク２０１の下端部の側壁の内周面に接続されるようにして保持されてもよい。
【００９８】
図２の厚さＨ２は、窓部材１０３の一定の厚さ（Ｚ方向の高さ寸法）を示す。厚さＨ３は、誘電体板３０２の一定の厚さを示す。厚さＨ１は、窓部材１０３の厚さＨ２と誘電体板３０２の厚さＨ３とを合わせた厚さを示す（Ｈ１≒Ｈ２＋Ｈ３）。誘電体板３０２のＺ方向の厚さＨ３は、ヨーク２０１を含む空洞部１０２内を伝播するマイクロ波の電界による窓部材１０３またはプラズマからの反射を抑制できる値に設計されている。
【００９９】
上記のような第１変形例の構成によって、処理室１１５内にプラズマを安定して生成および維持させることができる。図１の実施の形態および図２の第１変形例のプラズマ処理装置１において、本発明者が、試料２の上面の径方向についてのイオン電流の値の分布を検出したところ、以下のようなことが判明した。前述のように、従来技術のプラズマ処理装置の構成では、処理室内の試料の径方向でのプラズマの密度や強度の分布として、中高の分布（凸分布）となる。それに対し、実施の形態および第１変形例の構成では、従来の中高の分布が抑制および改善されて、処理室１１５内の試料２の面の近くの径方向でのプラズマの密度および強度の分布として、平らに近い分布が実現できる。
【０１００】
［第２変形例］
図３は、第２変形例のプラズマ処理装置１の構成概要を図１と同様に縦断面で示す。第２変形例では、第１変形例に対し、異なる構成要素としては、ヨーク４０１および誘電体板４０２を有する。
【０１０１】
図１の実施の形態または図２の第１変形例のプラズマ処理装置１の構成において、ヨーク２０１の直下の領域に、集中した強い静磁界を形成するためには、ヨーク２０１の下端を窓部材１０３の上面にできるだけ近い位置に配置することが望ましい。しかしながら、ヨーク２０１と窓部材１０３とが接触して配置される構成とする場合、例えばヨーク２０１が加熱によって膨張することで窓部材１０３が破損する恐れがある。あるいは、電磁石１０１に通電が開始された際等、磁場の強度が変更された際に、ヨーク２０１に静磁界による力が加わることで窓部材１０３が破損する恐れがある。
【０１０２】
そこで、図３の第２変形例を採用してもよい。第２変形例の構成では、空洞部１０２内のヨーク２０１に代わるヨーク４０１（円筒形状構造部）は、ヨーク４０１の下端と窓部材１０３の上面との間に、所定の距離Ｋ１での隙間４０３の空間が生じるように、所定の形状で配置されている。この構成では、隙間４０３の空間があるので、窓部材１０３の破損等が防止される。また、この構成では、空洞部１０２内に隙間４０３の空間があるので、ヨーク４０１内の空洞２１１からその隙間４０３の空間を通じて外側のリング状の空間２１２へマイクロ波の電界が伝播する成分を有する。
【０１０３】
さらに、第２変形例の構成では、ヨーク４０１内の空洞２１１の下端部には、誘電体製の円板形状の誘電体板４０２が配置されている。誘電体板４０２として本例では石英を用いた。誘電体板４０２の外周端部がヨーク４０１の下端部と接続されている。誘電体板４０２も、ヨーク４０１と同様に、誘電体板４０２の下面と窓部材１０３の上面との間に、所定の距離（距離Ｋ１と同程度の距離）での隙間４０３の空間が生じるように、所定の形状で配置されている。
【０１０４】
ヨーク４０１および誘電体板４０２と窓部材１０３との隙間４０３の空間の所定の距離は、マイクロ波の電界の反射を考慮して適切な距離に設計されている。
【０１０５】
第２変形例でも、ヨーク４０１は、円形導波管として機能している。ヨーク４０１の下端面の位置ではマイクロ波の電界の反射波が生じる。一方、窓部材１０３の上面の位置でも同様にマイクロ波の電界の反射波が生じる。
【０１０６】
そこで、第２変形例では、ヨーク４０１の下端面からの反射波と窓部材１０３の上面からの反射波とで相互の振幅を打ち消し合うような位相差が生じるように、ヨーク４０１および誘電体板４０２の下面の位置、および上記隙間４０３の距離が適切に設計されている。その設計に対応させて、ヨーク４０１および誘電体板４０２の寸法や形状等が選択されている。これにより、上記ヨーク４０１の下端面の反射波と窓部材１０３の上面の反射波との両方の反射波を互いに打ち消し合わせて、全体の反射波の量が低減できる。
【０１０７】
例えば、１８０度の位相差は、行路差で半波長に相当する。よって、窓部材１０３の上面でのマイクロ波の電界については、ヨーク４０１の下端と窓部材１０３の上面との間の距離Ｋ１での往復が行路差に一致することになる。このため、距離Ｋ１を、マイクロ波の電界の四分の一波長にすることで、全体的に反射波が低減できることになる。また、距離Ｋ１は、図３のような誘電体板４０２の併用によって、短縮することができる。すなわち、図３の隙間４０３の距離Ｋ１は、マイクロ波の電界の四分の一波長よりも短い距離である。この場合、ヨーク４０１の下端を、処理室１１５の方により近付けて配置することができる。よって、ヨーク４０１の直下の領域（図１でのリング状の領域２０３）に、強い静磁界を発生させやすく、処理室１１５内の強い静磁界を有効に利用して、好適なプラズマ分布を形成することができる。
【０１０８】
上記のような考察に基づいて、第２変形例の構成では、ヨーク４０１の下端と窓部材１０３の上面との間の隙間４０３の距離Ｋ１が、適切に設計されている。すなわち、距離Ｋ１は、ヨーク４０１と窓部材１０３との機械的な接触や衝突を避けるとともに、ヨーク４０１および窓部材１０３で生じる反射波を効果的に抑制できる値に設計されている。マイクロ波の周波数が２．４５ＧＨｚである構成では、隙間４０３の距離Ｋ１は３ｍｍである。
【０１０９】
また、図３の構成では、特に、ヨーク４０１の下端部は、内周側に出た部分を有し、その出た部分の上に、誘電体板４０２の外周端が載せられるようにして保持されている。ヨーク４０１の下端面の位置から、その出た部分の高さ寸法に対応した距離の位置に、誘電体板４０２の下面が配置されている。誘電体板４０２の下面と窓部材１０３の上面との距離は、距離Ｋ１と、その出た部分の高さ寸法とを合わせた距離である。
【０１１０】
第２変形例の構成によれば、上記のような窓部材１０２の破損等を防止しつつ、マイクロ波の電界の反射波を抑制する効果が得られる。なお、上記のようにＺ方向でヨーク４０１と窓部材１０３との間に距離Ｋ１を設ける構成とする場合、空洞部１０２内で共振が生起できる条件を満たす所定の距離以下の距離とされる。
【０１１１】
［第３変形例］
第３変形例として以下の構成も可能である。図２を用いて説明する。第３変形例の構成では、図２の第１変形例の誘電体板３０２および平らな円板状の窓部材１０３に代えて、厚さが異なる部分を含む軸対称形状の窓部材（凸状窓部材）を有する。この凸状窓部材は、第１変形例の誘電体板３０２および窓部材１０３を一体にした部材に対応する。この凸状窓部材は、ヨーク２０１の内径に対応する部分である中心軸を含む中央部に凸部を有する。この凸部は、外周部よりも厚さが大きい円板状または円柱状の部分である。この凸部は、凸状窓部材のうち、ヨーク２０１の内径に対応する面以内にあり、空洞２１１の下にある部分である。この凸状窓部材の外周部の厚さが厚さＨ２であり、凸部の厚さが厚さＨ１である。凸部の上面の高さ位置は、外周部の上面の高さ位置よりも、厚さＨ３の差で上の位置である。第３変形例によれば第１変形例と同様の効果が得られる。
【０１１２】
［第４変形例］
第４変形例として以下の構成も可能である。図３を用いて説明する。図３の第２変形例のように誘電体板４０２がヨーク４０１の下端部で保持される構成に限らず可能である。上記反射波が充分に低減される条件の範囲内で、誘電体板４０２のＺ方向の位置、および円板の厚さ等が選択可能である。第４変形例の構成では、誘電体板４０２の下面が窓部材１０３の上面に接するように、誘電体板４０２が窓部材１０３の上面に載せられている構成とする。この構成の場合、誘電体板４０２の外周端面は、ヨーク４０１の下端面と窓部材１０３の上面との隙間４０３の空間を介して、ヨーク４０１の外側の空間２１２に面する。第４変形例によれば第２変形例等と近い効果が得られる。
【０１１３】
［他の変形例］
他の変形例として、空洞部１０２内に配置されるヨーク２０１について、ヨーク２０１の上端部と空洞部１０２の上面部等の対応する部分との間に、所定の距離での空間を設けてもよい。この構成でも、窓部材１０３とヨーク２０１との接触に基づいた破損等を防止できるとともに、マイクロ波の電界が空洞２１１からその空間を通じて空間２１２へ伝播する成分を設けることができる。
【０１１４】
他の変形例として、空洞部１０２内のヨーク２０１は、Ｚ方向で径が異なる複数のヨーク部材を用いて多段のヨークとして構成されてもよい。例えば、Ｚ方向で上側には第１径を持つヨークを有し、その下側には第１径よりも大きい第２径を持つヨークが接続されている構成が挙げられる。
【０１１５】
以上、本発明を実施の形態に基づいて具体的に説明したが、本発明は前述の実施の形態に限定されず、その要旨を逸脱しない範囲で種々変更可能である。
【符号の説明】
【０１１６】
１…プラズマ処理装置、２…試料、１０１…電磁石、１０２…空洞部、１０３…窓部材、１０４…真空容器、１０５…アース電極、１０６…試料台、１０７…方形導波管、１０８…方形円形変換器、１０９…円形導波管、１１０…マイクロ波源、１１２…ソレノイドコイル、１２Ａ…第１コイル、１２Ｂ…第２コイル、１１３…ヨーク、１３Ａ…外周部、１３Ｂ…上面部、１３Ｃ…内周部、１１４…ガス分散板、１１５…処理室、１１７…内筒、２０１…ヨーク、２０２…磁力線、２０３…領域、２１１…空洞、２１２…空間。
【図１】
2019121514.tif 000003
【図２】
2019121514.tif 000004
【図３】
2019121514.tif 000005